(57)【要約】【課題】パケット化した画像データと同期のための情報とを無線で送信することができる画像形成装置を提供する。【解決手段】画像形成装置１０は、無線によりデータを送信する送信部５３０と、送信部５３０が送信したデータを受信する受信部４１０と、受信部４１０が受信したデータを用いて画像を書き込む発光部４２０とを有し、送信部５３０は、パケット化した画像データと、パケット化した画像データを同期するための同期情報とを送信する。【選択図】図３
2018182631.tif 000002
【特許請求の範囲】
【請求項１】
無線によりデータを送信する送信部と、
前記送信部が送信したデータを受信する受信部と、
前記受信部が受信したデータを用いて画像を書き込む書込部と、
を有し、
前記送信部は、パケット化した画像データと、パケット化した画像データを同期するための同期情報とを送信する画像形成装置。
【請求項２】
前記送信部は、パケット化した画像データを同期するための情報として、パケット化した同期信号を送信する請求項１記載の画像形成装置。
【請求項３】
前記送信部は、パケット化した画像データとパケット化した同期信号とを相互に送信する請求項２記載の画像形成装置。
【請求項４】
前記送信部は、パケット化した画像データを同期するための情報として、パケット化した画像データを送信する周期を用いる請求項１記載の画像形成装置。
【請求項５】
前記書込部は、一つのパケット化した画像データを、前記一つのパケット化した画像データの直前のパケット化した画像データを同期するために用いる請求項４記載の画像形成装置。
【発明の詳細な説明】
【技術分野】
【０００１】
本発明は、画像形成装置に関する。
【背景技術】
【０００２】
特許文献１には、筐体と、前記筐体に対して可動する可動部材と、前記可動部材に取り付けられ、無線で通信を行う無線通信素子と、前記無線通信素子と無線で送受信を行う送受信部と、前記可動部材が前記筐体内に位置している状態で、前記無線通信素子と前記送受信部との通信を遮蔽する遮蔽部と、を有する検知装置であって、前記可動部材の動作により、前記無線通信素子が前記筐体外に露出することで、前記無線通信素子と前記送受信部間の通信が可能なモードと、前記無線通信素子が前記筐体内に入ることで、前記無線通信素子と前記送受信部間の通信が不可能となるモードを持つことで、前記検知装置の状態を検知することを特徴とする検知装置が記載されている。
【０００３】
特許文献２には、画像処理に関する制御を行う複数の機能ユニットにより構成される画像形成装置であって、各機能ユニットは、画像形成装置に搭載可能な機能のうちの１以上の制御を行う制御手段と、他の機能ユニットと超広帯域無線により画像データの通信を行う通信手段とを備えることを特徴とする画像形成装置が記載されている。
【先行技術文献】
【特許文献】
【０００４】
【特許文献１】特開２００７−３３３４１１号公報
【特許文献２】特開２００８−２３６０９４号公報
【発明の概要】
【発明が解決しようとする課題】
【０００５】
有線によりデータを送信する送信部が送信したデータを受信部で受信し、受信部で受信したデータを用いて書込部が画像を書き込む画像形成装置では、送信部は、ビデオ信号と同期信号と有線で送信していた。この際、ビデオ信号と同期信号とは、それぞれに独立した配線を用いて、独立した経路で送信することが一般的である。
【０００６】
本発明は、パケット化した画像データと同期のための情報とを無線で送信することができる画像形成装置を提供することを目的とする。
【課題を解決するための手段】
【０００７】
請求項１に係る本発明は、無線によりデータを送信する送信部と、前記送信部が送信したデータを受信する受信部と、前記受信部が受信したデータを用いて画像を書き込む書込部と、を有し、前記送信部は、パケット化した画像データと、パケット化した画像データを同期するための同期情報とを送信する画像形成装置である。
【０００８】
請求項２に係る本発明は、前記送信部は、パケット化した画像データを同期するための情報として、パケット化した同期信号を送信する請求項１記載の画像形成装置である。
【０００９】
請求項３に係る本発明は、前記送信部は、パケット化した画像データとパケット化した同期信号とを相互に送信する請求項２記載の画像形成装置である。
【００１０】
請求項４に係る本発明は、前記送信部は、パケット化した画像データを同期するための情報として、パケット化した画像データを送信する周期を用いる請求項１記載の画像形成装置である。
【００１１】
請求項５に係る本発明は、前記書込部は、一つのパケット化した画像データを、前記一つのパケット化した画像データの直前のパケット化した画像データを同期するために用いる請求項４記載の画像形成装置である。
【発明の効果】
【００１２】
請求項１に係る本発明によれば、パケット化した画像データと同期のための情報とを無線で送信することができる画像形成装置を提供することができる。
【００１３】
請求項２に係る本発明によれば、パケット化することにより、同期信号を無線で送信することができる。
【００１４】
請求項３に係る本発明によれば、パケット化した画像データとパケット化した同期信号を別々の経路で送信する必要がなくなり、一組の送信部と受信部とを用いてパケット化した画像データとパケット化した同期信号との双方を送信することができる。
【００１５】
請求項４に係る本発明によれば、画像データの同期のためにパケット化した同期信号を用いる技術と比較して、送信部から受信部へのデータ送信量を低減させることができる。
【００１６】
請求項５に係る本発明によれば、一つのパケット化した画像データを、一つのパケット化した画像データの二つ以上前のパケット化した画像データを同期するために用いる技術と比較して、書込部が有することを要するラインバッファの容量を少なくすることができる。
【図面の簡単な説明】
【００１７】
【図１】本発明の実施形態で用いられる画像形成装置の概略構成を示す図である。
【図２】図１に示す画像形成装置が有するコントローラと、潜像形成装置との構成を示す模式図である。
【図３】図２に示す潜像形成装置の動作の第１の例を説明するタイミングチャートである。
【図４】図２に示す潜像形成装置の動作の第２の例を示すタイミングチャートである。
【図５】コントローラと潜像形成装置との比較例の構成を示す図である。
【図６】図５に示す潜像形成装置の動作の例を説明するフローチャートである。
【発明を実施するための形態】
【００１８】
以下、本発明の実施形態について図面を参照して詳細に説明する。図１は、本発明の実施形態で用いられる画像形成装置１０の一例を示す図である。図１に示すように、画像形成装置１０は、画像形成装置本体１２を有し、画像形成装置本体１２の上側の面が画像が形成された記録媒体が排出される排出部１６として用いられている。また、画像形成装置本体１２内には、用紙に画像を形成する画像形成部１００が配置されている。
【００１９】
画像形成部１００は、例えば４つの画像形成ユニット１２０Ｙ、１２０Ｍ、１２０Ｃ、１２０Ｋを有する。画像形成ユニット１２０Ｙ、１２０Ｍ、１２０Ｃ、１２０Ｋは、それぞれ、イエロー（Ｙ）、マゼンタ（Ｍ）、シアン（Ｃ）、黒（Ｋ）のトナー像を形成する。
【００２０】
画像形成ユニット１２０Ｙ、１２０Ｍ、１２０Ｃ、１２０Ｋは、形成するトナーの色が異なるものの構造が同じである。このため、各画像形成ユニットを区別することを要する場合を除き、以下、画像形成ユニット１２０Ｙ、１２０Ｍ、１２０Ｃ、１２０Ｋを画像形成ユニット１２０と総称して説明する。
【００２１】
それぞれの画像形成ユニット１２０は、像保持体として用いられている感光体ドラム１２２と、感光体ドラム１２２を帯電する帯電装置１２４と、感光体ドラム１２２の表面に静電潜像を形成する潜像形成装置４００と、潜像を現像してトナー像とする現像装置１２６と、感光体ドラム１２２の表面を清掃する清掃装置１２８とを有する。潜像形成装置４００の詳細は、後述する。
【００２２】
画像形成部１００は、転写装置１５０をさらに有し、転写装置１５０は、無端状の中間転写ベルト１５２を有する。中間転写ベルト１５２は、例えば二つの支持ロールである支持ロール１５４と、支持ロール１５６とに支持されていて、矢印Ａ方向に回転する。
【００２３】
転写装置１５０は、１次転写装置１６０をさらに有する。１次転写装置１６０は、それぞれの画像形成ユニット１２０に対応して複数があり、それぞれの画像形成ユニット１２０が有する感光体ドラム１２２から、中間転写ベルト１５２へとトナー像を転写させる。
【００２４】
転写装置１５０は、２次転写装置１７０をさらに有する。２次転写装置１７０は、中間転写ベルト１５２から、例えば用紙等の記録媒体にトナー像を転写する。
【００２５】
画像形成装置本体１２内には、定着装置１８０がさらに配置されている。定着装置１８０は、例えば熱と圧力とによってトナー像を記録媒体に定着させる。
【００２６】
また、画像形成装置本体１２内には供給装置２００が配置されている。供給装置２００は、収納部２０２に収納された記録媒体を、供給ロール２０４を用いて画像形成部１００へと供給する。
【００２７】
また、画像形成装置本体１２内には搬送路２４０が形成されている。搬送路２４０は、供給装置２００から２次転写装置１７０へと記録媒体を搬送し、さらには排出部１６へと記録媒体を排出するように記録媒体を搬送する。
【００２８】
また、画像形成装置本体１２内には、搬送路２４０に沿って、記録媒体搬送方向における上流側が順に、先述の供給ロール２０４と、レジストロール２４２と、先述の２次転写装置１７０と、定着装置１８０と、排出ロール２４４とが配置されている。
【００２９】
レジストロール２４２は、記録媒体の先端の移動を一時的に停止させ、画像形成部１００が画像を形成するタイミングに一致させるように、記録媒体の先端の移動を再開させる。
【００３０】
排出ロール２４４は、定着装置１８０によってトナー像が定着された記録媒体を、排出部１６へと排出する。
【００３１】
また、画像形成装置本体１２内には、コントローラ５００が配置されている。コントローラ５００は、例えば、画像形成部１００、定着装置１８０、供給装置２００等の画像形成装置１０における他の部分を制御する。コントローラ５００の詳細は後述する。
【００３２】
図２には、コントローラ５００と、潜像形成装置４００Ｙ、４００Ｍ、４００Ｃ、４００Ｋとが示されている。図２に示すように、コントローラ５００は、それぞれが制御回路として用いられているＣＰＵ（central processing unit）５１０及びＡＳＩＣ（application specific integrated circuit）５２０と、送信部５３０Ｙと、送信部５３０Ｍと、送信部５３０Ｃと、送信部５３０Ｋとを有する。
【００３３】
送信部５３０Ｙと、送信部５３０Ｍと、送信部５３０Ｃと、送信部５３０Ｋとは、構造が同一である。このため、送信部を区別することを要する場合を除き、以下、送信部５３０Ｙ、送信部５３０Ｍ、送信部５３０Ｃ、送信部５３０Ｋを、送信部５３０と総称して説明する。送信部５３０としては、例えば、ＷｉＧｉｇ（Wireless Gigabit、ワイギグ）対応の機器を用いることができる。ここで、ＷｉＧｉｇとは、ＩＥＥＥ８０２．１１ａｄで規格化された短距離の高速デジタル無線通信であり、周波数６０ギガヘルツのミリ波の電波を利用し、通信速度は最大７Ｇｂｐｓと高速である。
【００３４】
送信部５３０は、無線によりデータを送信する。より具体的には、送信部５３０は、パケット化した画像データと、パケット化した画像データを同期するために同期情報とを送信する。送信部５３０によるデータ送信の詳細については後述する。
【００３５】
潜像形成装置４００Ｙ、４００Ｍ、４００Ｃ、４００Ｋは、それぞれが受信部４１０Ｙ、４１０Ｍ、４１０Ｃ、４１０Ｋを有する。受信部４１０Ｙ、４１０Ｍ、４１０Ｃ、４１０Ｋは、それぞれが、送信部５３０Ｙが送信したデータを受信し、送信部５３０Ｍが送信したデータを受信し、送信部５３０Ｃが送信したデータを受信し、送信部５３０Ｋが送信したデータを受信する。受信部４１０Ｙ、４１０Ｍ、４１０Ｃ、４１０Ｋとしては、例えば、ＷｉＧｉｇ対応の機器を用いることができる。
【００３６】
潜像形成装置４００Ｙ、４００Ｍ、４００Ｃ、４００Ｋは、それぞれが、発光部４２０Ｙ、４２０Ｍ、４２０Ｃ、４２０Ｋをさらに有する。発光部４２０Ｙ、４２０Ｍ、４２０Ｃ、４２０Ｋは、それぞれが画像（潜像）を書き込む書込部として用いられていて、受信部４１０Ｙ、４１０Ｍ、４１０Ｃ、４１０Ｋがそれぞれに受信したデータを用いて発光し、発光することにより、それぞれが対応する色の感光体ドラム１２２へと画像（静電潜像）を書き込む。発光部４２０Ｙ、４２０Ｍ、４２０Ｃ、４２０Ｋは、例えばＬＥＤアレイ等の発光体（不図示）をそれぞれが有している。
【００３７】
潜像形成装置４００Ｙ、４００Ｍ、４００Ｃ、４００Ｋは、それぞれが、制御部４３０Ｙ、４３０Ｍ、４３０Ｃ、４３０Ｋをさらに有する。制御部４３０Ｙ、４３０Ｍ、４３０Ｃ、４３０Ｋは、それぞれが、受信部４１０Ｙと発光部４２０Ｙとを制御し、受信部４１０Ｍと発光部４２０Ｍとを制御し、受信部４１０Ｃと発光部４２０Ｃとを制御し、受信部４１０Ｋと発光部４２０Ｋとを制御する。制御部４３０Ｙ、４３０Ｍ、４３０Ｃ、４３０Ｋとしては、例えば、ＡＳＩＣを用いることができる。
【００３８】
図３は、図２に示した潜像形成装置４００Ｙの動作の第１の例を示すタイミングチャートである。図３において、上段は、送信部５３０Ｙがデータを送信するタイミングを示していて、下段は、発光部４２０Ｙが発光するタイミングを示している。
【００３９】
この第１の例では、送信部５３０Ｙは、潜像形成における主走査方向の１ライン分の画像データをパケット化した画像データ（ビデオ信号）と、パケット化した画像データを同期するための同期情報とを送信していて、パケット化した画像データを同期するための同期情報として、パケット化した同期信号を送信している。
【００４０】
より具体的には、送信部５３０Ｙは、画像形成ユニット１２０Ｙが有する感光体ドラム１２２の速度に応じて定められた周期Ｔでパケット化した同期信号を送信し、同期信号と重畳しないように、一つの同期信号と次の同期信号との間にパケット化した１ライン分の画像データを、例えば一つ送信している。すなわち、送信部５３０は、パケット化した画像データと、パケット化した１ライン分の同期データとを、交互に受信部４１０Ｙへ送信している。
【００４１】
発光部４２０Ｙは、送信部５３０Ｙが送信し、受信部４１０Ｙが受信したパケット化された同期信号を水平同期信号として用いて、発光のための１ライン分のデータを切り替えている。すなわち、発光部４２０Ｙは、一つの同期信号と同期するように、例えば、その一つの同期信号の直線に送信された１ライン分の画像データ等、一つの同期信号よりも前に送信された１ライン分の画像データを用いて発光する。
【００４２】
図４は、図２に示した潜像形成装置４００Ｙの動作の第２の例を示すタイミングチャートである。図４においても、図３と同様に、上段は、送信部５３０Ｙがデータを送信するタイミングを示していて、下段は、発光部４２０Ｙが発光するタイミングを示している。先述の第１の例では、送信部５３０Ｙが、主走査方向における１ライン分の画像データをパケット化して送信するとともに、パケット化した同期信号を送信していて、このパケット化した同期信号を、発光部４２０Ｙが水平同期信号として用いていた。
【００４３】
これに対して、この第２の例では、送信部５３０Ｙは、パケット化された同期信号は送信せず、潜像形成における主走査方向の１ライン分のパケット化された画像データのみを送信する。そして、パケット化された１ライン分の画像データそのものを、画像形成ユニット１２０Ｙが有する感光体ドラム１２２の速度に応じて定められた周期Ｔで送信し、パケット化された画像データそのものを、発光部４２０Ｙが水平同期信号として用いて、発光部４０２Ｙが発光のための１ライン分のデータを切り替えている。
【００４４】
より具体的には、一つのパケット化された１ライン分の画像データを、例えば、その一つのパケット化された画像データの直前のパッケット化された１ライン分の画像データ等、一つのパケット化された画像データよりも前のパケット化された画像データの発光のための水平同期信号として用いている。すなわち、この第２の例では、パケット化した画像データを同期するための情報として、パケット化した画像データを送信する周期Ｔが用いられている。
【００４５】
ここで、一つのパケット化された１ライン分の画像データを、その一つのパケット化された画像データの直前のパッケット化された１ライン分の画像データの発光のための水平同期信号として用いれば、一つのパケット化された１ライン分の画像データを、その一つのパケット化された画像データの二つ以上前のパッケット化された１ライン分の画像データの発光のための水平同期信号として用いる場合と比較して、潜像形成装置４００Ｙが有するラインバッファ（不図示）の容量を少なくすることができる。
【００４６】
潜像形成装置４００Ｍ、４００Ｃ、４００Ｋの動作は、上述の第１の例及び第２の例における潜像形成装置４００Ｙの動作と同様であるため説明を省略する。
【００４７】
図５は、コントローラ５００と潜像形成装置４００との比較例を示す図である。先述の本発明の実施形態においては、コントローラ５００と潜像形成装置４００Ｙ等とは無線を用いてデータの送受信がなされていた。これに対して、この比較例では、通信用のケーブルを用いてコントローラ５００と潜像形成装置４００Ｙ等とが接続されていて、ケーブルを介し、コントローラ５００から潜像形成装置４００Ｙ等にデータが送信されている。
【００４８】
具体的には、ケーブルは、第１の通信線９１０と、第２の通信線９１２と、第３の通信線９１４とを有し、第１の通信線９１０が水平同期信号（HSYNC1、Horizontal Synchronizing signal）の送信に用いられ、第２の通信線９１２がビデオ信号（VIDEO_OUT）の送信に用いられ、第３の通信線９１４がクロック信号（VIDEO_CLK）の送信に用いられている。
【００４９】
このように、この比較例では、コントローラ５００と潜像形成装置４００Ｙ等とがケーブルを用いて有線で接続されるため、ケーブルの劣化による通信の不良が生じる虞があり、通信中における信号の劣化を抑制するためのケーブルの長さに限界があり、コントローラ５００と潜像形成装置４００との間のケーブルを通すための空間を確保する必要があるため、画像形成装置本体１２内におけるコントローラ５００、潜像形成装置４００Ｙ等にレイアウトに制限が加えられる虞がある。
【００５０】
図６には、図５に示した潜像形成装置４００Ｙ等の動作を説明するタイミングチャートである。図５に示すように、潜像形成装置４００Ｙ等には、水平同期信号と、主走査方向における１ライン分のビデオデータとが交互に送信されてきて、一つの水平同期信号と同期するようにして、一つの水平同期信号の直前に送信された１ライン分の画像データ（ビデオデータ）等、一つの水平データ信号よりも前に送信された１ライン分の画像データに応じて潜像形成装置４００Ｙ等が発光する。
【符号の説明】
【００５１】
１０：画像形成装置
１００：画像形成部
１２０：画像形成ユニット
１２２：感光体ドラム
４００：潜像形成装置
４１０：受信部
４２０：発光部
４３０：制御部
５００：コントローラ
５３０：送信部
【図１】
2018182631.tif 000003
【図２】
2018182631.tif 000004
【図３】
2018182631.tif 000005
【図４】
2018182631.tif 000006
【図５】
2018182631.tif 000007
【図６】
2018182631.tif 000008